(57)【特許請求の範囲】
【請求項１】
着用者の股部を含む領域にあてがわれて使用される使い捨て吸収性物品であって、
前記着用者の少なくとも前腹部、前記股部及び後背部を含む領域にあてがわれるシート体と、
前記シート体の内部又は前記シート体の肌面側に配置され、前記着用者が排泄した体液を吸収する吸収コアと、
前記シート体の左右の脚周り部の一方の前側の部分から股下部を横断して他方の前側の部分に至る経路に沿って伸張された状態で付与された少なくとも１つの前側脚周り弾性部材と、
前記シート体の左右の脚周り部の一方の後側の部分から股下部を横断して他方の後側の部分に至る経路に沿って伸張された状態で付与された少なくとも１つの後側脚周り弾性部材と、
を備え、
前記前側脚周り弾性部材と前記後側脚周り弾性部材とは、前記シート体の前記股下部に位置する左右の交差部にて交差し、前記左右の交差部の各中心は、前記股下部における前記吸収コアの左右の側縁の横方向の内側近傍にあり、
前記前側脚周り弾性部材は、
前記左右の交差部の前記横方向の外側に位置し、切断されて収縮力が弱められた左右の前側脚周り弱化区間を有し、
前記後側脚周り弾性部材は、
前記左右の交差部の前記横方向の外側に位置し、切断されて収縮力が弱められた左右の後側脚周り弱化区間を有することを特徴とする使い捨て吸収性物品。
【請求項２】
請求項１に記載の使い捨て吸収性物品において、
前記前側脚周り弾性部材は、
前記左右の交差部の間のいずれかの位置にあり、切断されて収縮力が弱められた第１股下弱化区間をさらに有し、
前記後側脚周り弾性部材は、
前記左右の交差部の間のいずれかの位置にあり、切断されて収縮力が弱められた第２股下弱化区間をさらに有することを特徴とする使い捨て吸収性物品。
【請求項３】
請求項２に記載の使い捨て吸収性物品において、
前記前側脚周り弾性部材及び前記後側脚周り弾性部材における前記吸収コアの前記左右の側縁から前記横方向の内側に位置する部分の全域が、前記第１股下弱化区間及び前記第２股下弱化区間にそれぞれなっていることを特徴とする使い捨て吸収性物品。
【請求項４】
請求項１から請求項３のいずれかに記載の使い捨て吸収性物品において、
前記シート体の肌面側に配置され、前記着用者の少なくとも前記股部にあてがわれる内装材をさらに備え、
前記吸収コアは、前記内装材に設けられることを特徴とする使い捨て吸収性物品。
【請求項５】
請求項１から請求項４のいずれかに記載の使い捨て吸収性物品において、
前記シート体は、
前側に位置する前側部の左右の側縁部と後側に位置する後側部の左右の側縁部とが接合されることにより、ウエスト孔と、左右の脚孔とが設けられていることを特徴とする使い捨て吸収性物品。
【発明の詳細な説明】
【技術分野】
【０００１】
本発明は、着用者の股部を含む領域にあてがわれて使用される使い捨て吸収性物品に関する。
【背景技術】
【０００２】
多くの使い捨て吸収性物品では、脚周りの部分からの尿等の排泄物の漏れを防止するため、脚周りに沿って弾性部材が伸張された状態で付与されている。しかし、弾性部材による締め付けが強すぎると、脚周りの部分の収縮の度合いが大きくなり、吸収性物品が装着しにくくなる場合がある。また、脚周りに設けられた弾性部材による締め付けが強すぎると、着用者への肌当たりが強くなりすぎる。特に、パンツ型の吸収性物品の場合、左右の脚孔が小さく収縮していると、脚を脚孔に通しづらい。
【０００３】
また、使い捨て吸収性物品は、尿等の排泄物の漏れ防止、及び吸収コアの吸収容量確保等のために、股下部の横幅はある程度の大きさが必要である。このため、着用者に装着されたときに、吸収性物品の股下部が横方向に広がりやすく、吸収性物品が装着しにくくなる場合がある。また、吸収性物品の股下部が横方向に広がりすぎると、着用者に違和感を与える場合がある。特に、パンツ型の吸収性物品の場合、股下部が横方向に広がっていると、左右の脚孔が小さくなり、脚を脚孔に通しづらい。
【０００４】
脚周りに弾性部材が設けられた従来の使い捨て吸収性物品としては、特許文献１〜３に記載したものがある。特許文献１記載の吸収性物品では、吸収性物品の脚周りに沿った部分に前後の伸縮手段（３８）が設けられ、その伸縮手段（３８）の一部が切断されている（パラグラフ［００２５］、図１等参照）。これによって、吸収性物品の脚周りに沿った部分に、左右２カ所ずつの非伸縮性周囲部分（４６）が設けられている。また、前後の伸縮手段（３８）が前後方向に離間しながら吸収性物品の股下領域を横断しているため、脚周りに沿った部分の股下に対応する部分にも、非伸縮性周囲部分（４９）が設けられている。そして、これらの非伸縮性周囲部分（４６），（４９）の存在により、吸収性物品の脚周りの部分の肌当たりがソフトになるとともに、通気性が改善されている。
【０００５】
しかし、この特許文献１に記載の吸収性物品では、前後の伸縮手段（３８）が前後方向に離間しながら吸収性物品の股下領域を横断しているため、伸縮手段（３８）による吸収性物品の股下の部分に対する横方向の引き締めが十分に得られないおそれがある。股下の部分に対する横方向の引き締めが十分に得られない場合、股下の部分が横方向に広がりやすくなる。また、前後の弾性部材（３８）による股下の部分の左右両側の部分に対する収縮力が及ばない。このため、吸収性物品の股下の部分の左右の両側の部分と着用者の股下との間に隙間が生じ、その隙間から尿等が漏れるおそれがある。
【０００６】
特許文献２に記載の吸収性物品では、脚周りに沿って設けられた前側の弾性部材と後側の弾性部材とが股下部で重なり合っている（第１図等参照）。このため、股下部に対する横方向の十分な引き締めが期待できる。しかし、脚周りに沿った部分において弾性部材が連続的に設けられているため、弾性部材による締め付けが強くなりすぎるおそれがある。
【０００７】
特許文献３に記載の吸収性物品では、脚周りに沿って設けられた前側の弾性部材と後側の弾性部材とが股下部で重なり合うように付与された後、股下部に位置する前後の弾性部材が切断されている（図４等参照）。
【特許文献１】欧州公開特許第１８３４６１７号公報
【特許文献２】特開平３−３３２０１号公報
【特許文献３】特開平６−１９７９２５号公報
【発明の開示】
【発明が解決しようとする課題】
【０００８】
そこで、本発明の解決すべき課題は、脚周りの収縮度合いを適度に緩和しながら、股下部に対する有効な引き締めが得られ、装着が容易で、股下部の左右の両側の部分を着用者の股下に的確にフィットさせられる使い捨て吸収性物品を提供することである。
【課題を解決するための手段】
【０００９】
上記の課題を解決するため、請求項１の発明では、着用者の股部を含む領域にあてがわれて使用される使い捨て吸収性物品であって、前記着用者の少なくとも前腹部、前記股部及び後背部を含む領域にあてがわれるシート体と、前記シート体の内部又は前記シート体の肌面側に配置され、前記着用者が排泄した体液を吸収する吸収コアと、前記シート体の左右の脚周り部の一方の前側の部分から股下部を横断して他方の前側の部分に至る経路に沿って伸張された状態で付与された少なくとも１つの前側脚周り弾性部材と、前記シート体の左右の脚周り部の一方の後側の部分から股下部を横断して他方の後側の部分に至る経路に沿って伸張された状態で付与された少なくとも１つの後側脚周り弾性部材と、を備え、前記前側脚周り弾性部材と前記後側脚周り弾性部材とは、前記シート体の前記股下部に位置する左右の交差部にて交差し、前記左右の交差部の各中心は、前記股下部における前記吸収コアの左右の側縁の横方向の内側近傍にあり、前記前側脚周り弾性部材は、前記左右の交差部の前記横方向の外側に位置し、切断されて収縮力が弱められた左右の前側脚周り弱化区間を有し、前記後側脚周り弾性部材は、前記左右の交差部の前記横方向の外側に位置し、切断されて収縮力が弱められた左右の後側脚周り弱化区間を有する。
【００１１】
また、請求項２の発明では、請求項１の発明に係る使い捨て吸収性物品において、前記前側脚周り弾性部材は、前記左右の交差部の間のいずれかの位置にあり、切断されて収縮力が弱められた第１股下弱化区間をさらに有し、前記後側脚周り弾性部材は、前記左右の交差部の間のいずれかの位置にあり、切断されて収縮力が弱められた第２股下弱化区間をさらに有する。
【００１２】
また、請求項３の発明では、請求項２の発明に係る使い捨て吸収性物品において、前記前側脚周り弾性部材及び前記後側脚周り弾性部材における前記吸収コアの前記左右の側縁から前記横方向の内側に位置する部分の全域が、前記第１股下弱化区間及び前記第２股下弱化区間にそれぞれなっている。
【００１３】
また、請求項４の発明では、請求項１から請求項３のいずれかの発明に係る使い捨て吸収性物品において、前記シート体の肌面側に配置され、前記着用者の少なくとも前記股部にあてがわれる内装材をさらに備え、前記吸収コアは、前記内装材に設けられる。
【００１４】
また、請求項５の発明では、請求項１から請求項４のいずれかの発明に係る使い捨て吸収性物品において、前記シート体は、前側に位置する前側部の左右の側縁部と後側に位置する後側部の左右の側縁部とが接合されることにより、ウエスト孔と、左右の脚孔とが設けられている。
【発明の効果】
【００１５】
請求項１に記載の発明によれば、以下に述べるように、脚周りの収縮度合いを適度に緩和しながら、股下の部分に対する有効な引き締めが得られ、装着が容易で、股下の部分の左右の両側の部分を着用者の股下に的確にフィットさせられる使い捨て吸収性物品が得られる。
【００１６】
すなわち、請求項１に記載の発明では、使い捨て吸収性物品のシート体の左右の脚周り部の一方の前側の部分から股下部を横断して他方の前側の部分に至る経路に沿って、少なくとも１つの前側脚周り弾性部材が伸張された状態で付与されている。また、シート体の左右の脚周り部の一方の後側の部分から股下部を横断して他方の後側の部分に至る経路に沿って、少なくとも１つの後側脚周り弾性部材が伸張された状態で付与されている。そして、前側脚周り弾性部材と後側脚周り弾性部材とが、シート体の股下部に位置する左右の交差部にて交差している。それ故、シート体の股下部にて前側脚周り弾性部材の横方向の収縮力と後側脚周り弾性部材の横方向の収縮力が互いに協働して作用する。
【００１７】
一方、吸収コアを構成する繊維質の集合体は剛性が高いため、弾性部材による引き締め作用が有効に働きにくい。このため、吸収性物品の股下の部分において、弾性部材による横方向への引き締め効果が特に期待できるのは、吸収コアの左右の側縁の近傍から横方向の外側に位置する部分である。この点に関し、本発明では、吸収性物品の股下の部分における吸収コアの左右の側縁の近傍から横方向の外側に位置する部分に対して、前側脚周り弾性部材及び前記後側脚周り弾性部材による横方向の締め付けを有効に作用させられる。
【００１８】
これによって、前側脚周り弾性部材及び後側脚周り弾性部材の股下部を横断する部分による股下部に対する横方向の十分な引き締めが得られる。その結果、吸収性物品の股下の部分の横方向の広がりを効果的に抑制でき、吸収性物品の装着が容易になる。また、吸収性物品の股下の部分の横方向の広がりを抑制できるため、着用者が股下に感じる違和感を軽減できる。例えば、パンツ型の吸収性物品の場合に、股下の部分の横方向の広がりを抑制することにより、左右の脚孔が大きくなり、脚を脚孔に通しやすくなる。
【００１９】
また、請求項１に記載の発明では、前側脚周り弾性部材が、左右の交差部の横方向の外側において、切断されて収縮力が弱められた左右の前側脚周り弱化区間を有している。後側脚周り弾性部材も、左右の交差部の横方向の外側において、切断されて収縮力が弱められた左右の後側脚周り弱化区間を有している。それ故、この前側脚周り弾性部材及び後側脚周り弾性部材に設けられた４カ所の脚周り弱化区間の存在により、前側脚周り弾性部材及び後側脚周り弾性部材による吸収性物品の脚周りの部分の収縮度合いを適度に緩和できる。その結果、吸収性物品の脚周りの部分の収縮の度合いを適度に緩和して、広がりやすくし、吸収性物品の装着を容易にできる。また、脚周りに設けられた前側脚周り弾性部材及び後側脚周り弾性部材による締め付けを適度に緩和することにより、着用者への肌当たりがソフトになる。例えば、パンツ型の吸収性物品の場合、左右の脚孔が過度に収縮するのを防止して、脚を脚孔に通しやすくできる。
【００２０】
また、請求項１に記載の発明では、吸収性物品の股下の部分の左右両側の部分（特に、吸収コアの左右の側縁の近傍から横方向の外側に位置する部分）に対する前側脚周り弾性部材及び後側脚周り弾性部材による収縮力を有効に発揮させられる。その結果、吸収性物品の股下の部分の左右両側の部分を着用者の股下に的確にフィットさせられる。これによって、吸収性物品の股下の部分の左右両側の部分と着用者の股下との間に隙間が生じ、その隙間から尿等が漏れるのを防止できる。
【００２２】
請求項２に記載の発明によれば、前側脚周り弾性部材及び後側脚周り弾性部材が、第１股下弱化区間及び第２股下弱化区間をそれぞれ有している。その第１股下弱化区間及び第２股下弱化区間は、左右の交差部の間のいずれかの位置にある。この前側脚周り弾性部材及び後側脚周り弾性部材に設けられた第１及び第２股下弱化区間の存在により、吸収性物品の股下の部分（特に、吸収コアの左右の側縁の近傍から横方向の内方に位置する部分）に与えられる収縮力を効果的に緩和できる。これによって、吸収性物品の股下の部分に皺が生じる、及び、過度の収縮力が吸収コアに作用して吸収コアの吸収能力が阻害される等の不都合を回避できる。
【００２３】
また、前側脚周り弾性部材と後側脚周り弾性部材とが交差する左右の交差部では、前側脚周り弾性部材及び後側脚周り弾性部材による引き締め効果が発揮される。このため、前側脚周り弾性部材及び後側脚周り弾性部材による吸収性物品の股下の部分の左右両側の部分に対する引き締め効果を維持できる。その一方で、前記の如く、吸収性物品の股下の部分（特に、吸収コアの左右の側縁の近傍から横方向の内方に位置する部分）に対して与えられる収縮力を効果的に緩和できる。
【００２４】
請求項３に記載の発明によれば、前側脚周り弾性部材及び後側脚周り弾性部材における吸収コアの左右の側縁から横方向の内側に位置する部分の全域が、第１股下弱化区間及び第２股下弱化区間にそれぞれなっている。それ故、吸収性物品の股下の部分における吸収コアが配置される部分に与えられる収縮力を確実に緩和できる。これによって、吸収性物品の股下の部分に皺が生じる、及び、過度の収縮力が吸収コアに作用して吸収コアの吸収能力が阻害される等の不都合をより確実に回避できる。
【００２５】
請求項４に記載の発明によれば、吸収コアがシート体の肌面側に配置された内装材に設けられる。このため、シート体に前側脚周り弾性部材及び後側脚周り弾性部材を付与する際、及び前側脚周り弾性部材及び後側脚周り弾性部材に弱化区間を設ける際等に、吸収コアが邪魔になる、あるいは、吸収コアが損傷を受ける等の不都合を回避でき、品質の高い吸収性物品を提供できる。
【００２６】
請求項５に記載の発明によれば、脚孔に脚を通しやすく、装着が容易で、股下の部分の左右の両側の部分を着用者の股下に的確にフィットさせられるパンツ型の使い捨て吸収性物品を提供できる。
【発明を実施するための最良の形態】
【００２７】
［第１実施形態］
図１は本発明の第１実施形態に係る使い捨て吸収性物品（以下、単に「吸収性物品」という）を、左右のサイド接合部を切り離して略平面状に展開したときの平面図であり、図２は図１の吸収性物品の展開される前の状態を示す斜視図であり、図３は図１のＡ−Ａ線に沿った断面の構成を模式的に示す断面図であり、図４は図１に示す構成の一部を拡大して示す図である。
【００２８】
なお、図１から図４及び後述する他の図において、縦方向Ｙは着用者の前後又は上下方向に対応しており、横方向Ｘは着用者の左右方向に対応している。また、図１、及び図４から図８では、前側脚周り弾性部材２５及び後側脚周り弾性部材２６は外装材２の内部に配置されるため、本来は破線で描くべきところであるが、分かりやすくするため、実線で描いている。また、図４、図５、図７及び図８では、分かりやすくするため、内装材３の左右のサイドシート１７が省略されている。
【００２９】
この吸収性物品１は、図１から図４に示すように、吸収性物品１の外側に設けられた外装材２と、その外装材２の肌面側に配置された内装材３とを備えている。
【００３０】
内装材３は、着用者の尿等の体液を吸収する吸収コア４等を有している。そして、この吸収性物品１は、着用者の股部を含む領域にあてがわれて使用される。このとき、外装材２は、着用者の少なくとも前腹部、股部及び後背部を含む領域にあてがわれる。内装材３は、着用者の少なくとも股部にあてがわれるように配置されている。なお、外装材２が本発明に係るシート体に相当している。
【００３１】
外装材２は、着用者の前腹部、後背部及び股部にそれぞれあてがわれる前部６、後部７及び股部８を備えている。外装材２の前部６の左右の縁部６ａと後部７の左右の縁部７ａとは、互いに向き合った状態で所定の接合手段により接合され、これによって左右のサイド接合部９が形成されている。このため、この吸収性物品１は、ウエスト孔１１と、左右の脚孔１２を有するパンツ型の構成を有している。サイド接合部９の接合手段としては、超音波溶着、加熱溶着、接着剤（例えば、ホットメルト接着剤）による接着等のいずれか１つ又はそれらの複数の組み合わせ等により行われる。
【００３２】
また、外装材２は、重ね合わされた２枚のシート１３，１４を備えている。このシート１３，１４は、後述する弾性部材２１〜２６を挟み込んだ状態で接着剤（例えば、ホットメルト接着剤）によって互いに接合されている。
【００３３】
シート１３，１４は、撥水性を有する合成繊維製不織布、ポリエチレン等の合成樹脂製フィルム（液不透過性でかつ通気性を有するフィルムが好ましい）、あるいはこれらの積層体で構成される。蒸れ防止のためには、シート１３，１４の少なくともいずれか一方に、撥水性不織布を用いるのが好ましい。不織布としては、ポリプロピレン、ポリエチレン、ポリエステル、ナイロン等の合繊繊維からなるもの、あるいは、ポリエステル／ポリエステル、ポリエステル／ポリエチレン、ポリプロピレン／ポリエチレン等の組合せによる複合繊維からなるものが利用可能である。不織布としては、スパンボンド法、エアースルー法、ポイントボンド法、メルトブロー法及びエアレイド法のうちの１つ又は複数の製法の組み合わせによる不織布が好ましい。中でも、スパンボンド法、あるいはスパンボンド法とメルトブロー法とを組み合わせたＳＭＳ法により製造された長繊維不織布が、強度の点から好ましい。最も好ましいのは、スパンボンド法により製造された長繊維不織布である。
【００３４】
内装材３は、前記した吸収コア４、バックシート１５、トップシート１６、及び左右のサイドシート１７等を備えている。この内装材３は、接着剤（例えば、ホットメルト接着剤）を用いて外装材２の肌面側に接合される。
【００３５】
吸収コア４は、外面側のバックシート１５と、肌面側のトップシート１６及びサイドシート１７との間に挟み込まれるようにして配置される。バックシート１５は、液不透過性の素材が好ましく、撥水性を有する合成繊維製不織布、ポリエチレン等の合成樹脂製フィルム（液不透過性でかつ通気性を有するフィルムが好ましい）が好ましい。
【００３６】
トップシート１６は、吸収コア４の肌面側における横方向Ｘの中央部に、縦方向Ｙに沿って配置されている。左右のサイドシート１７は、トップシート１６の左右の縁部に肌面側から重なるように、縦方向Ｙに沿って配置されている。このサイドシート１７の横方向Ｘの内方側の端部には糸状の弾性部材１８が伸張された状態で付与されている。この弾性部材１８の収縮によってサイドシート１７の一部が肌面側に向かって立ち上がり、立体ギャザーとして機能する。この立体ギャザーにより排泄物の横漏れが防止される。
【００３７】
吸収コア４は、集合された繊維を少なくとも有する集合体によって構成されている。この吸収コア４は、液透過性の不織布等からなる図示しないシートによって覆われている場合がある（本実施形態では、吸収コア４は液透過性のシートによって覆われている）。吸収コア４を構成する集合体は、主に集合された繊維により形成されている。その繊維としては主に解繊パルプ繊維又はセルロース繊維が用いられ、必要に応じて熱融着性繊維等を混合してもよい。また、集合体には、高吸水性樹脂粉末が含まれていることが好ましい。高吸水性樹脂粉末は、繊維と高吸水性樹脂粉末との合計を１００質量％としたときに、２０質量％以上含まれていることが好ましい。優れた吸収能力を確保することができ、排泄液を高吸水性樹脂粉末に保持させることで、体液の逆戻りを防ぐこともできる。しかし、あまり多く高吸水性樹脂粉末を配合すると、集合体が堅くなるので、８０質量％以下が好ましく、６０質量％以下がさらに好ましい。高吸水性樹脂粉末としては、この分野で通常使用されるポリアクリル酸（塩）系等が好ましい。
【００３８】
吸収コア４である集合体の平面形状としては、砂時計型、略長方形型、略楕円型等の種々の形状が採用可能である。本実施形態では、図１に示すように、吸収コア４（集合体）の平面形状が、吸収コア４の縦方向Ｙの中間部（着用者の股下に対応する部分）にくびれ部４ａが形成された砂時計型とされている。
【００３９】
トップシート１６は、液透過性の合成繊維製不織布又は織布で形成される。不織布又は織布としては、絹、レーヨン、パルプ等の親水性繊維、又は、外装材２のシート１３，１４の素材として例示した繊維又は複合繊維を用いたもの等が好ましく使用できる。また、液透過性を高めるためにトップシート１６を形成する不織布又は織布に親水化処理を施してもよい。サイドシート１７は、撥水性不織布等により形成される。
【００４０】
外装材２には、外装材２を含む吸収性物品１の各部を引き締めて着用者の身体にフィットさせるために、少なくとも１つの前側ウエスト弾性部材２１、少なくとも１つの後側ウエスト弾性部材２２、少なくとも１つの前側ボディ弾性部材２３、少なくとも１つの後側ボディ弾性部材２４、少なくとも１つの前側脚周り弾性部材２５、及び、少なくとも１つの後側脚周り弾性部材２６が付与されている。
【００４１】
前側ウエスト弾性部材２１は、外装材２の前部６の上縁部に沿って伸張された状態で付与されている。後側ウエスト弾性部材２２は、外装材２の後部７の上縁部に沿って伸張された状態で付与されている。この前側ウエスト弾性部材２１及び後側ウエスト弾性部材２２によって、外装材２のウエスト孔１１周りの部分が横方向Ｘに引き締められる。
【００４２】
前側ボディ弾性部材２３は、外装材２の前部６の着用者の胴周りに位置する部分（前部６の縦方向Ｙの中間部）に、横方向Ｘに沿って伸張された状態で付与されている。後側ボディ弾性部材２４は、外装材２の後部７の着用者の胴周りに位置する部分（後部７の縦方向Ｙの中間部）に、横方向Ｘに沿って伸張された状態で付与されている。この前側ボディ弾性部材２３及び後側ボディ弾性部材２４によって、外装材２の前部６及び後部７の縦方向Ｙの中間部が横方向Ｘに引き締められる。
【００４３】
前側脚周り弾性部材２５は、外装材２の左右の脚周り部２ａ，２ｂの一方の前側の部分から股下部２ｃを横断して他方の前側の部分に至る経路に沿って伸張された状態で付与されている。後側脚周り弾性部材２６は、外装材２の左右の脚周り部２ａ，２ｂの一方の後側の部分から股下部２ｃを横断して他方の後側の部分に至る経路に沿って伸張された状態で付与されている。本実施形態では、複数（例えば、３つ）の前側脚周り弾性部材２５，２６がそれぞれ付与されている。この前側脚周り弾性部材２５及び後側脚周り弾性部材２６は、外装材２及び吸収性物品１の左右の脚孔１２に沿った部分、及び、股下の部分に対する引き締めのために付与されている。
【００４４】
前側脚周り弾性部材２５と後側脚周り弾性部材２６とは、外装材２の股下部２ｃに位置する左右の交差部２７にて交差している。その左右の交差部２７は、股下部２ｃにおける吸収コア４の左右の側縁４ｂの近傍から横方向Ｘの外側の領域におけるいずれかの位置にある。より詳細には、矢印Ｐ１で示す両弾性部材２５，２６左右の交差部２７の中心が、股下部２ｃに位置する吸収コア４の左右の側縁４ｂ（矢印Ｐ２で示す位置）の近傍から横方向Ｘの外側の領域におけるいずれかの位置にある。このため、左右の交差部２７よりも横方向Ｘの内側では、前側脚周り弾性部材２５と後側脚周り弾性部材２６との前後の位置関係が逆転している。なお、本発明において、「吸収コア４の左右の側縁４ｂの近傍から横方向Ｘの外側の領域」とは、左右の側縁４ｂの横方向Ｘの外側の領域だけでなく、左右の側縁４ｂの横方向Ｘの内側近傍も含んでいる。
【００４５】
具体的には、本実施形態では、左右の交差部２７の中心（Ｐ１）が、吸収コア４の左右のくびれ部４ａにおける左右の側縁４ｂ（Ｐ２）よりも横方向Ｘの外側にある。この点に関する変形例については、図５に基づいて後述する。
【００４６】
また、前側脚周り弾性部材２５は、左右の交差部２７の横方向Ｘの外側において、切断されて収縮力が弱められた左右の前側脚周り弱化区間２８を有している。後側脚周り弾性部材２６は、左右の交差部２７の横方向Ｘの外側において、切断されて収縮力が弱められた左右の後側脚周り弱化区間２９を有している。これらの弱化区間２８，２９は、次のようにして形成される。すなわち、まず弾性部材２５，２６を所定の前記経路に沿って伸張した状態で外装材２に付与する。その後、弾性部材２５，２６の一部の区間において、弾性部材２５，２６を１又は複数箇所で切断し、これによって弾性部材２５，２６の収縮力を開放する。
【００４７】
また、本実施形態では、図１及び図４に示すように、脚周り弾性部材２５，２６の左右の交差部２７が、展開状態にある吸収性物品１の縦方向Ｙの中心位置Ｐ３よりも所定寸法Ｄ１だけ前側にずらされた位置（Ｐ４）にある。
【００４８】
弾性部材２１〜２６を構成する弾性材（例えば、弾性糸）には、例えば吸収性物品に多用される弾性伸縮材料（ポリウレタン糸、天然ゴム等）が用いられる。弾性材の他の例として、帯状のポリウレタンフィルムを用いてもよい。
【００４９】
また、弾性部材２１〜２６は、前記の如く、外装材２を構成する２枚のシート１３，１４の間に挟み込まれる。シート１３，１４同士の接合及び弾性部材２１〜２６のシート１３，１４への接合は、接着剤（例えば、ホットメルト接着剤）、熱溶着、超音波溶着等の接合手段を用いて行われる。例えば、弾性部材２１〜２６として、繊度３００〜２０００デシテックスのポリウレタン糸が、倍率１．１〜５．０倍に伸張した状態でシート１３，１４の間に挟み込まれる。
【００５０】
以上のように、本実施形態によれば、以下に述べるように、脚周りの収縮度合いを適度に緩和しながら、股下の部分に対する有効な引き締めが得られ、装着が容易で、股下の部分の左右の両側の部分を着用者の股下に的確にフィットさせられる吸収性物品１が得られる。
【００５１】
すなわち、本実施形態では、吸収性物品１の外装材２の左右の脚周り部２ａ，２ｂの一方の前側の部分から股下部２ｃを横断して他方の前側の部分に至る経路に沿って、少なくとも１つの前側脚周り弾性部材２５が伸張された状態で付与されている。また、外装材２の左右の脚周り部２ａ，２ｂの一方の後側の部分から股下部２ｃを横断して他方の後側の部分に至る経路に沿って、少なくとも１つの後側脚周り弾性部材２６が伸張された状態で付与されている。そして、前側脚周り弾性部材２５と後側脚周り弾性部材２６とが、外装材２の股下部２ｃに位置する左右の交差部２７にて交差している。それ故、外装材２の股下部２ｃにて前側脚周り弾性部材２５の横方向Ｘの収縮力と後側脚周り弾性部材２６の横方向Ｘの収縮力が互いに協働して作用する。
【００５２】
特に、本実施形態では、左右の交差部２７が、股下部２ｃに位置する吸収コア４の左右の側縁４ｂの近傍から横方向Ｘの外側の領域のいずれかの位置にある。一方、吸収コア４を構成する繊維質の集合体は剛性が高いため、脚周り弾性部材２５，２６による引き締め作用が有効に働きにくい。このため、吸収性物品１の股下の部分において、脚周り弾性部材２５，２６による横方向Ｘへの引き締め効果が特に期待できるのは、股下部２ｃに位置する吸収コア４の左右の側縁４ｂの近傍から横方向Ｘの外側に位置する部分である。この点に関し、本実施形態では、吸収性物品１の股下の部分における吸収コア４の左右の側縁４ｂの近傍から横方向Ｘの外側に位置する部分に対して、弾性部材２５，２６による横方向Ｘの締め付けを有効に作用させられる。
【００５３】
これによって、脚周り弾性部材２５，２６の股下部２ｃを横断する部分による股下部２ｃに対する横方向Ｘの十分な引き締めが得られる。その結果、吸収性物品１の股下の部分の横方向Ｘの広がりを抑制できるため、左右の脚孔１２が大きくなり、脚を脚孔１２に通しやすくなり、吸収性物品１の装着が容易になる。また、吸収性物品１の股下の部分の横方向Ｘの広がりを抑制できるため、着用者が股下の部分に感じる違和感を軽減できる。
【００５４】
また、本実施形態では、前側脚周り弾性部材２５及び後側脚周り弾性部材２６が、左右の交差部２７の横方向Ｘの外側において、切断されて収縮力が弱められた左右の脚周り弱化区間２８，２９をそれぞれ有している。それ故、この脚周り弾性部材２５，２６に設けられた４カ所の脚周り弱化区間２８，２９の存在により、脚周り弾性部材２５，２６による吸収性物品１の脚周りの部分の収縮度合いを適度に緩和できる。その結果、吸収性物品１の左右の脚孔１２が過度に収縮するのを防止して、脚を脚孔１２に通しやすくでき、吸収性物品１の装着を容易にできる。また、脚周り弾性部材２５，２６による締め付けを適度に緩和することにより、着用者への肌当たりがソフトになる。
【００５５】
また、本実施形態では、脚周り弾性部材２５，２６が外装材２の股下部２ｃに位置する左右の交差部２７にて交差しているとともに、その左右の交差部２７が股下部２ｃに位置する吸収コア４の左右の側縁４ｂの近傍から横方向Ｘの外側の領域におけるいずれかの位置にある。このため、吸収性物品１の股下の部分の左右両側の部分（特に、吸収コア４の左右の側縁４ｂの近傍から横方向Ｘの外側に位置する部分）に対する脚周り弾性部材２５，２６による収縮力を有効に発揮させられる。その結果、吸収性物品１の股下の部分の左右両側の部分を着用者の股下に的確にフィットさせられる。これによって、吸収性物品１の股下の部分の左右両側の部分と着用者の股下との間に隙間が生じ、その隙間から尿等が漏れるのを防止できる。
【００５６】
また、本実施形態では、脚周り弾性部材２５，２６が交差する左右の交差部２７が、股下部２ｃに位置する吸収コア４の左右の側縁４ｂよりも横方向Ｘの外側に位置している。このため、吸収性物品１の股下の部分における脚周り弾性部材２５，２６による締め付けが特に有効である部分（吸収コア４の左右の側縁４ｂの近傍から横方向Ｘの外側に位置する部分）に対して、脚周り弾性部材２５，２６による締め付けを確実に作用させられる。
【００５７】
また、本実施形態では、吸収コア４が外装材２の肌面側に配置された内装材３に設けられる。このため、外装材２に弾性部材２１〜２６（特に、脚周り弾性部材２５，２６）を付与する際、及び脚周り弾性部材２５，２６に脚周り弱化区間２８，２９を設ける際等に、吸収コア４が邪魔になる、あるいは、吸収コア４が損傷を受ける等の不都合を回避でき、品質の高い吸収性物品１を提供できる。
【００５８】
なお、本実施形態における脚周り弾性部材２５，２６の左右の交差部２７の位置に関する変形例として、図５に示す構成が挙げられる。この図５の構成では、左右の交差部２７の中心（Ｐ１）が、股下部２ｃに位置する吸収コア４の左右の側縁４ｂ（Ｐ２）の横方向Ｘの内側近傍に位置している。また、この図５の構成では、脚周り弾性部材２５，２６が外装材２に付与される経路が変更されている。この図５の構成によっても、上述の第１実施形態に係る構成とほぼ同様な効果が得られる。
【００５９】
［第２実施形態］
図６は本発明の第２実施形態に係る吸収性物品を、左右のサイド接合部を切り離して略平面状に展開したときの平面図であり、図７は図６に示す構成の一部を拡大して示す図である。なお、本実施形態に係る吸収性物品１Ａが上述の第１実施形態に係る吸収性物品１と実質的に異なる点は、前側及び後側脚周り弾性部材２５，２６に第１及び第２股下弱化区間３１，３２を追加した点のみである。このため、本実施形態に係る構成において、第１実施形態に係る構成と共通する部分には同一の参照符号を付し、説明の重複を回避する。
【００６０】
本実施形態に係る吸収性物品１Ａでは、図６及び図７に示すように、前側脚周り弾性部材２５及び後側脚周り弾性部材２６に、左右の脚周り弱化領域２８，２９に追加して、第１股下弱化区間３１及び第２股下弱化区間３２をそれぞれ設けている。この第１股下弱化区間３１及び第２股下弱化区間３２は、左右の交差部２７の間のいずれかの位置にある。本実施形態では、脚周り弾性部材２５，２６における吸収コア４の左右の側縁の近傍から横方向Ｘの内側に位置する部分の全域が、第１股下弱化区間３１及び第２股下弱化区間３２にそれぞれなっている。第１及び第２股下弱化区間３１，３２は、その区間３１，３２に位置する脚周り弾性部材２５，２６が切断されて収縮力が弱められた区間であり、上述の脚周り弱化区間２８，２９とほぼ同様な手法により形成される。
【００６１】
このような構成により、本実施形態では、上述の第１実施形態とほぼ同様な効果が得られるとともに、以下のような特有の効果も得られる。すなわち、脚周り弾性部材２５，２６に設けられた第１及び第２股下弱化区間３１，３２の存在により、吸収性物品１Ａの股下の部分（特に、吸収コア４の左右の側縁４ｂの近傍から横方向Ｘの内方に位置する部分）に与えられる収縮力を効果的に緩和できる。これによって、吸収性物品１Ａの股下の部分に皺が生じる、及び、過度の収縮力が吸収コア４に作用して吸収コア４の吸収能力が阻害される等の不都合を回避できる。
【００６２】
また、脚周り弾性部材２５，２６が交差する左右の交差部２７では、脚周り弾性部材２５，２６による引き締め効果が発揮される。このため、脚周り弾性部材２５，２６による吸収性物品１Ａの股下の部分の左右両側の部分（特に、吸収コア４の左右の側縁４ｂの近傍から横方向Ｘの外側に位置する部分）に対する引き締め効果を維持できる。その一方で、前記の如く、吸収性物品１Ａの股下の部分（特に、吸収コア４の左右の側縁４ｂの近傍から横方向Ｘの内方に位置する部分）に対して与えられる収縮力を効果的に緩和できる。
【００６３】
また、本実施形態では、脚周り弾性部材２５，２６における吸収コア４の左右の側縁４ｂの近傍から横方向Ｘの内側に位置する部分の全域が、第１股下弱化区間３１及び第２股下弱化区間３２にそれぞれなっている。それ故、吸収性物品１Ａの股下の部分における吸収コア４が配置される部分に与えられる収縮力を確実に緩和できる。これによって、吸収性物品１Ａの股下の部分に皺が生じる、及び、過度の収縮力が吸収コア４に作用して吸収コア４の吸収能力が阻害される等の不都合をより確実に回避できる。
【００６４】
なお、上述の第２実施形態に係る構成の変形例として、図８に示すように、上述の図５に示す構成に対して、第１股下弱化区間３１及び第２股下弱化区間３２を設けてもよい。この図８に示す構成では、前記の如く、脚周り弾性部材２５，２６の左右の交差部２７の中心（Ｐ１）が、股下部２ｃに位置する吸収コア４の左右の側縁４ｂ（Ｐ２）の横方向Ｘの内側近傍に位置している。このため、第１及び第２股下弱化区間３１，３２が、左右の交差部２７における横方向Ｘの内方側の部分に重複するようにして形成されている。この図８の構成によっても、上述の第２実施形態に係る構成とほぼ同様な効果が得られる。
【００６５】
なお、上述の第１及び第２実施形態では、吸収コア４を内装材３に設けたが、吸収コア４を外装材２に設けてもよい。この場合、吸収コア４を外装材２のシート１３，１４の間に挟み込む構成、あるいは、吸収コア４を外装材２の肌面側に貼り付ける等の構成が採用できる。この場合には、内装材３を省略することも可能である。
【００６６】
また、上述の第１及び第２実施形態では、本発明に係る技術をパンツ型の吸収性物品１，１Ａに適用したが、本発明に係る技術をテープ型の使い捨ておむつに適用してもよい。
＜付記事項＞
本発明の第１の局面として、着用者の股部を含む領域にあてがわれて使用される使い捨て吸収性物品であって、前記着用者の少なくとも前腹部、前記股部及び後背部を含む領域にあてがわれるシート体と、前記シート体の内部又は前記シート体の肌面側に配置され、前記着用者が排泄した体液を吸収する吸収コアと、前記シート体の左右の脚周り部の一方の前側の部分から股下部を横断して他方の前側の部分に至る経路に沿って伸張された状態で付与された少なくとも１つの前側脚周り弾性部材と、前記シート体の左右の脚周り部の一方の後側の部分から股下部を横断して他方の後側の部分に至る経路に沿って伸張された状態で付与された少なくとも１つの後側脚周り弾性部材とを備え、前記前側脚周り弾性部材と前記後側脚周り弾性部材とは、前記シート体の前記股下部に位置する左右の交差部にて交差し、前記左右の交差部は、前記股下部における前記吸収コアの左右の側縁の近傍から横方向の外側の領域におけるいずれかの位置にあり、前記前側脚周り弾性部材は、前記左右の交差部の前記横方向の外側に位置し、切断されて収縮力が弱められた左右の前側脚周り弱化区間を有し、前記後側脚周り弾性部材は、前記左右の交差部の前記横方向の外側に位置し、切断されて収縮力が弱められた左右の後側脚周り弱化区間を有してもよい。
また、本発明の第２の局面として、上記第１の局面に係る使い捨て吸収性物品において、前記左右の交差部は、前記吸収コアの前記左右の側縁よりも前記横方向の外側に位置してもよい。
また、本発明の第３の局面として、上記第１又は第２の局面に係る使い捨て吸収性物品において、前記前側脚周り弾性部材は、前記左右の交差部の間のいずれかの位置にあり、切断されて収縮力が弱められた第１股下弱化区間をさらに有し、前記後側脚周り弾性部材は、前記左右の交差部の間のいずれかの位置にあり、切断されて収縮力が弱められた第２股下弱化区間をさらに有してもよい。
また、本発明の第４の局面では、上記第３の発明に係る使い捨て吸収性物品において、前記前側脚周り弾性部材及び前記後側脚周り弾性部材における前記吸収コアの前記左右の側縁の近傍から前記横方向の内側に位置する部分の全域が、前記第１股下弱化区間及び前記第２股下弱化区間にそれぞれなっていてもよい。
また、本発明の第５の局面では、上記第１から第４のいずれかの局面に係る使い捨て吸収性物品において、前記シート体の肌面側に配置され、前記着用者の少なくとも前記股部にあてがわれる内装材をさらに備え、前記吸収コアは、前記内装材に設けられてもよい。
また、本発明の第６の局面では、上記第１から第５のいずれかの局面に係る使い捨て吸収性物品において、前記シート体は、前側に位置する前側部の左右の側縁部と後側に位置する後側部の左右の側縁部とが接合されることにより、ウエスト孔と、左右の脚孔とが設けられてもよい。
上記第１の局面によれば、以下に述べるように、脚周りの収縮度合いを適度に緩和しながら、股下の部分に対する有効な引き締めが得られ、装着が容易で、股下の部分の左右の両側の部分を着用者の股下に的確にフィットさせられる使い捨て吸収性物品が得られる。
すなわち、上記第１の局面では、使い捨て吸収性物品のシート体の左右の脚周り部の一方の前側の部分から股下部を横断して他方の前側の部分に至る経路に沿って、少なくとも１つの前側脚周り弾性部材が伸張された状態で付与されている。また、シート体の左右の脚周り部の一方の後側の部分から股下部を横断して他方の後側の部分に至る経路に沿って、少なくとも１つの後側脚周り弾性部材が伸張された状態で付与されている。そして、前側脚周り弾性部材と後側脚周り弾性部材とが、シート体の股下部に位置する左右の交差部にて交差している。それ故、シート体の股下部にて前側脚周り弾性部材の横方向の収縮力と後側脚周り弾性部材の横方向の収縮力が互いに協働して作用する。
特に、上記第１の局面では、前側脚周り弾性部材と前記後側脚周り弾性部材とが交差する左右の交差部が、股下部における吸収コアの左右の側縁の近傍から横方向の外側の領域におけるいずれかの位置にある。一方、吸収コアを構成する繊維質の集合体は剛性が高いため、弾性部材による引き締め作用が有効に働きにくい。このため、吸収性物品の股下の部分において、弾性部材による横方向への引き締め効果が特に期待できるのは、吸収コアの左右の側縁の近傍から横方向の外側に位置する部分である。この点に関し、本発明では、吸収性物品の股下の部分における吸収コアの左右の側縁の近傍から横方向の外側に位置する部分に対して、前側脚周り弾性部材及び前記後側脚周り弾性部材による横方向の締め付けを有効に作用させられる。
これによって、前側脚周り弾性部材及び後側脚周り弾性部材の股下部を横断する部分による股下部に対する横方向の十分な引き締めが得られる。その結果、吸収性物品の股下の部分の横方向の広がりを効果的に抑制でき、吸収性物品の装着が容易になる。また、吸収性物品の股下の部分の横方向の広がりを抑制できるため、着用者が股下に感じる違和感を軽減できる。例えば、パンツ型の吸収性物品の場合に、股下の部分の横方向の広がりを抑制することにより、左右の脚孔が大きくなり、脚を脚孔に通しやすくなる。
また、上記第１の局面では、前側脚周り弾性部材が、左右の交差部の横方向の外側において、切断されて収縮力が弱められた左右の前側脚周り弱化区間を有している。後側脚周り弾性部材も、左右の交差部の横方向の外側において、切断されて収縮力が弱められた左右の後側脚周り弱化区間を有している。それ故、この前側脚周り弾性部材及び後側脚周り弾性部材に設けられた４カ所の脚周り弱化区間の存在により、前側脚周り弾性部材及び後側脚周り弾性部材による吸収性物品の脚周りの部分の収縮度合いを適度に緩和できる。その結果、吸収性物品の脚周りの部分の収縮の度合いを適度に緩和して、広がりやすくし、吸収性物品の装着を容易にできる。また、脚周りに設けられた前側脚周り弾性部材及び後側脚周り弾性部材による締め付けを適度に緩和することにより、着用者への肌当たりがソフトになる。例えば、パンツ型の吸収性物品の場合、左右の脚孔が過度に収縮するのを防止して、脚を脚孔に通しやすくできる。
また、上記第１の局面では、前側脚周り弾性部材と後側脚周り弾性部材とが、シート体の股下部に位置する左右の交差部にて交差しているとともに、その左右の交差部が、股下部における吸収コアの左右の側縁の近傍から横方向の外側の領域におけるいずれかの位置にある。このため、吸収性物品の股下の部分の左右両側の部分（特に、吸収コアの左右の側縁の近傍から横方向の外側に位置する部分）に対する前側脚周り弾性部材及び後側脚周り弾性部材による収縮力を有効に発揮させられる。その結果、吸収性物品の股下の部分の左右両側の部分を着用者の股下に的確にフィットさせられる。これによって、吸収
性物品の股下の部分の左右両側の部分と着用者の股下との間に隙間が生じ、その隙間から尿等が漏れるのを防止できる。
上記第２の局面によれば、前側脚周り弾性部材と前記後側脚周り弾性部材とが交差する左右の交差部が、吸収コアの左右の側縁よりも横方向の外側に位置している。このため、吸収性物品の股下の部分における脚周り弾性部材による締め付けが特に有効である部分（吸収コアの左右の側縁の近傍から横方向の外側に位置する部分）に対して、前側脚周り弾性部材及び前記後側脚周り弾性部材による締め付けを確実に作用させられる。
上記第３の局面によれば、前側脚周り弾性部材及び後側脚周り弾性部材が、第１股下弱化区間及び第２股下弱化区間をそれぞれ有している。その第１股下弱化区間及び第２股下弱化区間は、左右の交差部の間のいずれかの位置にある。この前側脚周り弾性部材及び後側脚周り弾性部材に設けられた第１及び第２股下弱化区間の存在により、吸収性物品の股下の部分（特に、吸収コアの左右の側縁の近傍から横方向の内方に位置する部分）に与えられる収縮力を効果的に緩和できる。これによって、吸収性物品の股下の部分に皺が生じる、及び、過度の収縮力が吸収コアに作用して吸収コアの吸収能力が阻害される等の不都合を回避できる。
また、前側脚周り弾性部材と後側脚周り弾性部材とが交差する左右の交差部では、前側脚周り弾性部材及び後側脚周り弾性部材による引き締め効果が発揮される。このため、前側脚周り弾性部材及び後側脚周り弾性部材による吸収性物品の股下の部分の左右両側の部分（特に、吸収コアの左右の側縁の近傍から横方向の外側に位置する部分）に対する引き締め効果を維持できる。その一方で、前記の如く、吸収性物品の股下の部分（特に、吸収コアの左右の側縁の近傍から横方向の内方に位置する部分）に対して与えられる収縮力を効果的に緩和できる。
上記第４の局面に記載の発明によれば、前側脚周り弾性部材及び後側脚周り弾性部材における吸収コアの左右の側縁の近傍から横方向の内側に位置する部分の全域が、第１股下弱化区間及び第２股下弱化区間にそれぞれなっている。それ故、吸収性物品の股下の部分における吸収コアが配置される部分に与えられる収縮力を確実に緩和できる。これによって、吸収性物品の股下の部分に皺が生じる、及び、過度の収縮力が吸収コアに作用して吸収コアの吸収能力が阻害される等の不都合をより確実に回避できる。
上記第５の局面によれば、吸収コアがシート体の肌面側に配置された内装材に設けられる。このため、シート体に前側脚周り弾性部材及び後側脚周り弾性部材を付与する際、及び前側脚周り弾性部材及び後側脚周り弾性部材に弱化区間を設ける際等に、吸収コアが邪魔になる、あるいは、吸収コアが損傷を受ける等の不都合を回避でき、品質の高い吸収性物品を提供できる。
上記第６の局面によれば、脚孔に脚を通しやすく、装着が容易で、股下の部分の左右の両側の部分を着用者の股下に的確にフィットさせられるパンツ型の使い捨て吸収性物品を提供できる。
【図面の簡単な説明】
【００６７】
【図１】本発明の第１実施形態に係る使い捨て吸収性物品を、左右のサイド接合部を切り離して略平面状に展開したときの平面図である。
【図２】図１の使い捨て吸収性物品の展開される前の状態を示す斜視図である。
【図３】図１のＡ−Ａ線に沿った断面の構成を模式的に示す断面図である。
【図４】図１に示す構成の一部を拡大して示す図である。
【図５】図４に示す構成の変形例を示す図である。
【図６】本発明の第２実施形態に係る使い捨て吸収性物品を、左右のサイド接合部を切り離して略平面状に展開したときの平面図である。
【図７】図６に示す構成の一部を拡大して示す図である。
【図８】図７に示す構成の変形例を示す図である。
【符号の説明】
【００６８】
１，１Ａ  吸収性物品、２  外装材、２ａ，２ｂ  脚周り部、２ｃ  股下部、３  内装材、４  吸収コア、４ａ  くびれ部、４ｂ  側縁、６  前部、７  後部、８  股部、９    サイド接合部、１１  ウエスト孔、１２  脚孔、１３，１４  シート、１５  バックシート、１６  トップシート、１７  サイドシート、１８  弾性部材、２１  前側ウエスト弾性部材、２２  後側ウエスト弾性部材、２３  前側ボディ弾性部材、２４  後側ボディ弾性部材、２５  前側脚周り弾性部材、２６  後側脚周り弾性部材、２７  交差部、２８  前側脚周り弱化区間、２９  後側脚周り弱化区間、３１  第１股下弱化区間、３２  第２股下弱化区間、Ｘ  横方向、Ｙ  縦方向。
【図１】
0005301880.tif 000002
【図２】
0005301880.tif 000003
【図３】
0005301880.tif 000004
【図４】
0005301880.tif 000005
【図５】
0005301880.tif 000006
【図６】
0005301880.tif 000007
【図７】
0005301880.tif 000008
【図８】
0005301880.tif 000009